【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】
シートに画像を記録して形成する記録制御手段と、画像を記録形成するシートを記録手段に給紙する給紙制御手段と、画像を記録形成されたシートを排紙する排紙制御手段と、を具備する画像形成装置において、
前記排紙制御手段によるシートの排紙先として、少なくとも、装置本体前面側からシートを取出可能に配設されて所定サイズ以下の排紙シートを積載する第１トレイと、所定サイズ以上のシートを排紙する第２トレイと、を備えて、
前記第１トレイは、装置本体内から装置本体外に移動することにより、排紙されてきたシートの積載面積を拡大する移動部材を有する一方、
前記排紙制御手段は、第１トレイの移動部材の位置を検知して、積載可能なシートのみを該第１トレイ上に排紙することを特徴とする画像形成装置。
【請求項２】
前記移動部材は、前後に移動することにより、あるいは、正逆方向に回動することにより、シートの積載面を装置本体内に縮小し、または、装置本体外に拡大することを特徴とする請求項１に記載の画像形成装置。
【請求項３】
前記排紙制御手段は、排紙先として第１トレイを指定されたとき、移動部材の位置を検知して、画像を記録形成するシートが該第１トレイ上に積載不可能なサイズである場合には、画像を記録形成するシートを該第１トレイ上に積載可能なサイズに変更することを促すことを特徴とする請求項１または２に記載の画像形成装置。
【請求項４】
前記排紙制御手段は、排紙先として第１トレイを指定されたとき、移動部材の位置を検知して、画像を記録形成するシートが該第１トレイ上に積載不可能なサイズである場合には、排紙先を該第１トレイ以外に変更することを特徴とする請求項１または２に記載の画像形成装置。
【請求項５】
原稿を読取位置に給紙する原稿給紙装置を備えて該給紙原稿の画像読取を行う原稿読取装置を、上記請求項１から４のいずれかに記載の画像形成装置の上に搭載する複写機であって、
前記給紙制御手段は、セットされたロール紙から引き出して記録形成する画像に応じたサイズにカットしたシートを記録手段に給紙するように構成されるとともに、前記第１トレイは、前記原稿読取装置と画像形成装置との間に配置される一方、前記第２トレイは、装置本体背面に対面して該背面に沿うようにシートを収納するように構成されることを特徴とする複写機。
【請求項６】
シートに画像を記録して形成する記録制御手段と、画像を記録形成するシートを記録手段に給紙する給紙制御手段と、画像を記録形成されたシートを排紙する排紙制御手段と、を具備する画像形成装置に、原稿を読取位置に給紙する原稿給紙装置を備えて該給紙原稿の画像読取を行う原稿読取装置を搭載する複写機であって、
前記画像形成装置は、シートの排紙先として、少なくとも、装置本体前面側からシートを取出可能に配設されて所定サイズ以下の排紙シートを積載する第１トレイと、所定サイズ以上のシートを排紙する第２トレイと、を有して、該第１トレイには、装置本体内から装置本体外に移動して排紙されてきたシートの積載面積を拡大する移動部材を設ける一方、
前記原稿給紙装置は、原稿を装置本体の前面側から背面方向に移動させて読取位置に給紙するように構成することにより、
装置本体前面側の外方に移動させて突出する第１トレイの移動部材上に、ロール状原稿を回転可能に保持するように構成したことを特徴とする複写機。
【手続補正２】
【補正対象書類名】明細書
【補正対象項目名】０００７
【補正方法】変更
【補正の内容】
【０００７】
そこで、本発明は、オペレータの操作・補給などの作業の妨げになることなく、また、装置を大型化することなく、ある程度の大きさのシートを整列した状態で回収可能にし、また、幅広原稿を快適にセット可能にすることを目的とする。
【手続補正３】
【補正対象書類名】明細書
【補正対象項目名】０００８
【補正方法】変更
【補正の内容】
【０００８】
【課題を解決するための手段】
上記課題を解決する第１の発明は、シートに画像を記録して形成する記録制御手段と、画像を記録形成するシートを記録手段に給紙する給紙制御手段と、画像を記録形成されたシートを排紙する排紙制御手段と、を具備する画像形成装置において、前記排紙制御手段によるシートの排紙先として、少なくとも、装置本体前面側からシートを取出可能に配設されて所定サイズ以下の排紙シートを積載する第１トレイと、所定サイズ以上のシートを排紙する第２トレイと、を備えて、前記第１トレイは、装置本体内から装置本体外に移動することにより、排紙されてきたシートの積載面積を拡大する移動部材を有する一方、前記排紙制御手段は、第１トレイの移動部材の位置を検知して、積載可能なシートのみを該第１トレイ上に排紙することを特徴とするものである。
【手続補正４】
【補正対象書類名】明細書
【補正対象項目名】０００９
【補正方法】変更
【補正の内容】
【０００９】
上記課題を解決する第２の発明は、上記第１の発明の構成に加え、前記移動部材は、前後に移動することにより、あるいは、正逆方向に回動することにより、シートの積載面を装置本体内に縮小し、または、装置本体外に拡大することを特徴とするものである。
【手続補正５】
【補正対象書類名】明細書
【補正対象項目名】００１０
【補正方法】変更
【補正の内容】
【００１０】
この発明では、装置本体の前面側から取出可能に排紙シートを積載する第１トレイが準備されて、その第１トレイは、移動部材を手前に引出あるいは回動などさせて移動させるだけで装置本体外まで積載面積を拡大させることにより、装置本体内（前面）からはみ出さないシートに限らず、装置本体内からはみ出るような大きなシートでも、装置本体の前面側から取出可能に排紙して積載することができ、この第１トレイには、移動部材の位置を検知して積載可能なシートのみを選択して排紙する一方、その第１トレイ上に積載不可能な大きさの場合（例えば、幅広画像を記録したシートの場合）には第２トレイに排紙する。したがって、幅広画像を記録形成可能な画像形成装置であっても、ある程度小さなサイズのシートは第１トレイ上に積載して装置本体の前面側から容易に回収することができ、そのシートが第１トレイ上に積載不可能で落下してしまうことを未然に回避することができる。また、排紙するシートの大きさに応じて移動部材を移動（装置本体内に収納・引出）させることにより最接近して操作する際に邪魔になってしまったり、装置の設置面積が大きくなってしまうこともない。
【手続補正６】
【補正対象書類名】明細書
【補正対象項目名】００１１
【補正方法】変更
【補正の内容】
【００１１】
上記課題を解決する第３の発明は、上記第１または２の発明の構成に加え、前記排紙制御手段は、排紙先として第１トレイを指定されたとき、移動部材の位置を検知して、画像を記録形成するシートが該第１トレイ上に積載不可能なサイズである場合には、画像を記録形成するシートを該第１トレイ上に積載可能なサイズに変更することを促すことを特徴とするものである。
【手続補正７】
【補正対象書類名】明細書
【補正対象項目名】００１２
【補正方法】変更
【補正の内容】
【００１２】
この発明では、例えば、排紙先の第１トレイ上に積載不可能な大きなシートが選択指示された場合には、画像を記録形成したシートの排紙先を優先して、移動部材の位置に応じた積載面積の第１トレイ上に排紙可能なサイズのシートに変更することが、メッセージの表示出力などにより促される。したがって、第１トレイ上に積載可能なシートに画像を記録形成することができる場合には、そのサイズのシートに変更して、あるいは、第１トレイ上に積載可能なシートに記録形成することができない画像の場合には、その画像を縮小処理するなどの操作を適宜に行って、画像を記録形成したシートを落下させることなく第１トレイ上に排紙して積載することができる。
【手続補正８】
【補正対象書類名】明細書
【補正対象項目名】００１３
【補正方法】変更
【補正の内容】
【００１３】
上記課題を解決する第４の発明は、上記第１または２の発明の構成に加え、前記排紙制御手段は、排紙先として第１トレイを指定されたとき、移動部材の位置を検知して、画像を記録形成するシートが該第１トレイ上に積載不可能なサイズである場合には、排紙先を該第１トレイ以外に変更することを特徴とするものである。
【手続補正９】
【補正対象書類名】明細書
【補正対象項目名】００１４
【補正方法】変更
【補正の内容】
【００１４】
この発明では、例えば、排紙先の第１トレイ上に積載不可能な大きなシートが選択指示された場合には、画像を記録形成するシートのサイズを優先して、シートの排紙先が第１トレイ以外の第２トレイなどに自動的に変更される。したがって、第１トレイ上に積載不可能なシートであるために操作を要求されることがなく、第１トレイから落下してシートが損傷してしまうことを未然に回避することができる。
【手続補正１０】
【補正対象書類名】明細書
【補正対象項目名】００１５
【補正方法】変更
【補正の内容】
【００１５】
上記課題を解決する第５の発明は、原稿を読取位置に給紙する原稿給紙装置を備えて該給紙原稿の画像読取を行う原稿読取装置を、上記第１から第４のいずれかの画像形成装置の上に搭載する複写機であって、前記給紙制御手段は、セットされたロール紙から引き出して記録形成する画像に応じたサイズにカットしたシートを記録手段に給紙するように構成されるとともに、前記第１トレイは、前記原稿読取装置と画像形成装置との間に配置される一方、前記第２トレイは、装置本体背面に対面して該背面に沿うようにシートを収納するように構成されることを特徴とするものである。
【手続補正１１】
【補正対象書類名】明細書
【補正対象項目名】００１６
【補正方法】変更
【補正の内容】
【００１６】
この発明では、原稿読取装置を搭載する複写機で、ロール紙から引き出してカットしたシートを、例えば、原稿台の下方に配設された第１トレイ上に排紙して積載することができ、その第１トレイ上に排紙不可能な幅広シートは、装置の背面側に準備する第２トレイに排紙して収容することができる。
【手続補正１２】
【補正対象書類名】明細書
【補正対象項目名】００１７
【補正方法】変更
【補正の内容】
【００１７】
上記課題を解決する第６の発明は、シートに画像を記録して形成する記録制御手段と、画像を記録形成するシートを記録手段に給紙する給紙制御手段と、画像を記録形成されたシートを排紙する排紙制御手段と、を具備する画像形成装置に、原稿を読取位置に給紙する原稿給紙装置を備えて該給紙原稿の画像読取を行う原稿読取装置を搭載する複写機であって、前記画像形成装置は、シートの排紙先として、少なくとも、装置本体前面側からシートを取出可能に配設されて所定サイズ以下の排紙シートを積載する第１トレイと、所定サイズ以上のシートを排紙する第２トレイと、を有して、該第１トレイには、装置本体内から装置本体外に移動して排紙されてきたシートの積載面積を拡大する移動部材を設ける一方、前記原稿給紙装置は、原稿を装置本体の前面側から背面方向に移動させて読取位置に給紙するように構成することにより、装置本体前面側の外方に移動させて突出する第１トレイの移動部材上に、ロール状原稿を回転可能に保持するように構成したことを特徴とするものである。
【手続補正１３】
【補正対象書類名】明細書
【補正対象項目名】００１８
【補正方法】変更
【補正の内容】
【００１８】
この発明では、装置本体の前面側から取出可能に排紙シートを積載する第１トレイが準備されて、その第１トレイは、移動部材を手前に引出あるいは回動などさせて移動させるだけで装置本体外まで突出させて積載面積を拡大させることにより、装置本体内（前面）からはみ出さないシートに限らず、装置本体内からはみ出るような大きなシートでも、装置本体の前面側から取出可能に排紙して積載することができるとともに、この第１トレイの装置本体の前面側に突出する移動部材の上には、大きな巻き径でロール状に巻かれた原稿もセットすることができ、その原稿を原稿給紙装置により巻き出して原稿読取装置の読取位置に給紙させることができる。したがって、幅広の原稿を原稿台から床面に垂らす状態にすることなく読み取ることができる。
【手続補正１４】
【補正対象書類名】明細書
【補正対象項目名】００４３
【補正方法】変更
【補正の内容】
【００４３】
【発明の効果】
本発明によれば、装置側面などに配設される第２トレイなどに幅広の画像を記録形成したシートを収納する一方、装置本体内の前面側に配設されて移動部材を装置側面から突出させるように引出あるいは回動させるなどして装置本体外までシートの積載面積を拡大可能な第１トレイ上に、その移動部材の位置を検知した上で積載可能な大きさのシートのみを排紙することができ、小さなサイズのシートは装置前面から容易に回収することができる。この移動部材は、無用なときには装置本体内に位置するように移動させればよく、原稿読取装置を搭載する際には、装置本体側面から突出させることにより、読取位置に給紙可能にロール状の原稿をセットすることができる。
【手続補正１５】
【補正対象書類名】明細書
【補正対象項目名】００４４
【補正方法】変更
【補正の内容】
【００４４】
したがって、シートや原稿を床面に接触させて汚すなど損傷してしまうことを回避しつつシートや原稿のハンドリング性を向上させることができ、移動部材が邪魔になることなく第１トレイを拡大可能にして省スペース化を図ることができる。